(57)【要約】【課題】複数の食器を食器カゴ内に容易に収納でき、効率よく洗浄作業ができる食器洗浄装置を提供する。【解決手段】食器洗浄装置は、複数の食器２を重ねて収納した食器カゴ３を食器重ね方向に対して直交する移動方向に移動させる搬送手段を備える。食器洗浄装置は、食器カゴ３内の食器２に向けて洗浄水Ｗを噴射する噴射口部23を有する洗浄ノズルを備える。噴射口部23からの洗浄水Ｗが食器カゴ３内のすべての食器２に当たると、これらすべての食器２に関して互いに隣り合う食器２間に間隙41が同時に生じる。【選択図】図５
2010063806.tif 000002
【特許請求の範囲】
【請求項１】
互いに隣り合う食器のうちの一方の食器の表面と他方の食器の裏面とが介在部材を介さずに対向するように複数の食器が水平方向に重ねられて収納された食器カゴを、食器重ね方向に対して直交する移動方向に移動させる搬送手段と、
食器カゴ内の食器に向けて洗浄水を噴射する噴射口部とを備え、
前記噴射口部からの洗浄水が食器カゴ内のすべての食器に当たると、これらすべての食器に関して互いに隣り合う食器間に間隙が同時に生じ、これらの各間隙に洗浄水が入り込んで食器の汚れが除去される
ことを特徴とする食器洗浄装置。
【請求項２】
食器カゴ内の食器は、噴射口部からの洗浄水から受ける力で食器カゴに対して回転する
ことを特徴とする請求項１記載の食器洗浄装置。
【請求項３】
食器カゴの移動方向に並んで位置する複数の噴射口部を備え、
前記噴射口部は、
第１噴射口部分と、
この第１噴射口部分に比べて噴射する洗浄水の量が多い第２噴射口部分とを有し、
前記第２噴射口部分は、食器カゴの移動方向正面視で食器重ね方向にずれて位置する
ことを特徴とする請求項１または２記載の食器洗浄装置。
【請求項４】
噴射口部は、食器カゴが移動する移動領域の上方に位置し、食器カゴの移動方向と直交する水平方向に長手方向を有する長孔部にて構成されている
ことを特徴とする請求項１ないし３のいずれか一記載の食器洗浄装置。
【請求項５】
互いに隣り合う食器のうちの一方の食器の表面と他方の食器の裏面とが介在部材を介さずに対向するように複数の食器を食器カゴ内に水平方向に重ねて収納し、
この収納した食器カゴ内の複数の食器に食器重ね方向に沿った洗浄水を当てることにより、互いに隣り合う食器間に間隙を生じさせ、
この生じた間隙に洗浄水を入り込ませて食器の汚れを除去する
ことを特徴とする食器洗浄方法。
【発明の詳細な説明】
【技術分野】
【０００１】
本発明は、複数の食器を食器カゴに収納したまま洗浄する食器洗浄装置および食器洗浄方法に関するものである。
【背景技術】
【０００２】
従来、例えば下記の特許文献１に記載された食器洗浄装置が知られている。
【０００３】
この従来の食器洗浄装置は、互いに隣り合う食器のうちの一方の食器の表面と他方の食器の裏面との間に算盤玉のような移動可能な保持部材（介在部材）が介在するように複数の食器が水平方向に重ねられて収納された食器カゴを食器重ね方向に沿った方向に移動させる搬送手段と、食器カゴ内の食器の周端部に向けて洗浄水を噴射する噴射ノズルとを備えている。
【０００４】
そして、噴射ノズルからの洗浄水が食器カゴ内の食器に当たると、食器が保持部材とともに移動し、一の食器とこの一の食器と隣り合う他の食器との間に間隙が生じ、この生じた間隙に洗浄水が入り込んで食器の汚れが除去される。
【特許文献１】特開平１０−１３７１７２号公報（図４、図５）
【発明の開示】
【発明が解決しようとする課題】
【０００５】
しかしながら、上記従来の食器洗浄装置では、噴射ノズルからの洗浄水によって互いに隣り合う食器間に生じる間隙が１つずつであるため、洗浄作業の効率が悪くなるおそれがあり、また、互いに隣り合う食器間に保持部材を介在させる必要があるため、複数の食器を食器カゴ内に収納するのに手間取るおそれがある。
【０００６】
本発明は、このような点に鑑みなされたもので、複数の食器を食器カゴ内に容易に収納できるとともに、効率よく洗浄作業ができる食器洗浄装置および食器洗浄方法を提供することを目的とする。
【課題を解決するための手段】
【０００７】
請求項１記載の食器洗浄装置は、互いに隣り合う食器のうちの一方の食器の表面と他方の食器の裏面とが介在部材を介さずに対向するように複数の食器が水平方向に重ねられて収納された食器カゴを、食器重ね方向に対して直交する移動方向に移動させる搬送手段と、食器カゴ内の食器に向けて洗浄水を噴射する噴射口部とを備え、前記噴射口部からの洗浄水が食器カゴ内のすべての食器に当たると、これらすべての食器に関して互いに隣り合う食器間に間隙が同時に生じ、これらの各間隙に洗浄水が入り込んで食器の汚れが除去されるものである。
【０００８】
請求項２記載の食器洗浄装置は、請求項１記載の食器洗浄装置において、食器カゴ内の食器は、噴射口部からの洗浄水から受ける力で食器カゴに対して回転するものである。
【０００９】
請求項３記載の食器洗浄装置は、請求項１または２記載の食器洗浄装置において、食器カゴの移動方向に並んで位置する複数の噴射口部を備え、前記噴射口部は、第１噴射口部分と、この第１噴射口部分に比べて噴射する洗浄水の量が多い第２噴射口部分とを有し、前記第２噴射口部分は、食器カゴの移動方向正面視で食器重ね方向にずれて位置するものである。
【００１０】
請求項４記載の食器洗浄装置は、請求項１ないし３のいずれか一記載の食器洗浄装置において、噴射口部は、食器カゴが移動する移動領域の上方に位置し、食器カゴの移動方向と直交する水平方向に長手方向を有する長孔部にて構成されているものである。
【００１１】
請求項５記載の食器洗浄方法は、互いに隣り合う食器のうちの一方の食器の表面と他方の食器の裏面とが介在部材を介さずに対向するように複数の食器を食器カゴ内に水平方向に重ねて収納し、この収納した食器カゴ内の複数の食器に食器重ね方向に沿った洗浄水を当てることにより、互いに隣り合う食器間に間隙を生じさせ、この生じた間隙に洗浄水を入り込ませて食器の汚れを除去するものである。
【発明の効果】
【００１２】
請求項１に係る発明によれば、噴射口部からの洗浄水が食器カゴ内のすべての食器に当たると、これらすべての食器に関して互いに隣り合う食器間に間隙が同時に生じ、これらの各間隙に洗浄水が入り込んで食器の汚れが除去される構成であるから、効率よく洗浄作業ができ、また、従来とは異なり互いに隣り合う食器間に介在部材を介在させる必要がなく、複数の食器を食器カゴ内に容易に収納できる。
【００１３】
請求項２に係る発明によれば、洗浄作業の際に食器カゴ内の食器が噴射口部からの洗浄水から受ける力で食器カゴに対して回転するため、食器全体に洗浄水が当たることとなり、より一層効率よく洗浄作業ができる。
【００１４】
請求項３に係る発明によれば、第２噴射口部分からの洗浄水によって生じる間隙が第１噴射口部分からの洗浄水によって生じる間隙よりも大きく、また大きめの間隙の位置が食器カゴの移動方向正面視で食器重ね方向に異なるため、効率的かつ適切に洗浄作業ができる。
【００１５】
請求項４に係る発明によれば、噴射口部は、食器カゴが移動する移動領域の上方に位置し、食器カゴの移動方向と直交する水平方向に長手方向を有する長孔部にて構成されているため、その長孔部から噴射されるカーテン状の洗浄水によって、複数の間隙を同時に適切に生じさせることができるとともに、食器の汚れを適切に除去できる。
【００１６】
請求項５に係る発明によれば、互いに隣り合う食器のうちの一方の食器の表面と他方の食器の裏面とが介在部材を介さずに対向するように複数の食器を食器カゴ内に水平方向に重ねて収納し、この収納した食器カゴ内の複数の食器に食器重ね方向に沿った洗浄水を当てることにより、互いに隣り合う食器間に間隙を生じさせ、この生じた間隙に洗浄水を入り込ませて食器の汚れを除去することにより、効率よく洗浄作業ができ、また、従来とは異なり互いに隣り合う食器間に介在部材を介在させる必要がなく、複数の食器を食器カゴ内に容易に収納できる。
【発明を実施するための最良の形態】
【００１７】
本発明の食器洗浄装置の一実施の形態を図面を参照して説明する。
【００１８】
図１および図２において、１は食器洗浄装置で、この食器洗浄装置１は、複数の食器２を食器収納具である食器カゴ３に収納したまま、浸漬水に浸すことなく洗浄水Ｗを用いて連続的に洗浄する業務用洗浄装置で、例えば給食センター等の給食現場に設置される。
【００１９】
食器２は、図３等に示すように、例えば円形の開口部５を上面に有する円形状の椀等である。食器２は、円形状の底面部６と、この底面部６の周端部に設けられ上方に向って拡径する截頭円錐筒状の側面部７と、この側面部７の上端部全周に外側方に向って突設された鍔部８とを有している。
【００２０】
食器カゴ３は、例えば金属製の複数本の棒状部材が組み合わされて構成された外形略直方体状の金網カゴ等である。食器カゴ３は、複数の食器２が水平方向に直接重ねられて収納される食器収納部11を内部に有し、この食器収納部11に対して食器２の出し入れをするための開口部12を上面に有している。
【００２１】
また、食器カゴ３は、食器収納部11に収納された複数の食器２を下方から支持する支持体である下支持部13を下面に有し、この下支持部13は例えば食器カゴ３内の食器２の食器重ね方向に長手状で互いに平行な複数本、例えば２本の支持棒14にて構成されている。
【００２２】
さらに、食器カゴ３は、食器収納部11に収納された複数の食器（食器群）２のうちの一方端の食器２が当接する一方側当接部16を一側面に有し、食器収納部11に収納された複数の食器２のうちの他方端の食器２が当接する他方側当接部17を他側面に有している。一方側当接部16は互いに平行な複数本、例えば２本の当接棒18にて構成され、他方側当接部17は互いに平行な複数本、例えば２本の当接棒19にて構成されている。
【００２３】
そして、食器カゴ３内には、互いに隣り合う食器２のうちの一方の食器２の表面（内面）と他方の食器２の裏面（外面）とが介在部材（従来における保持部材等）を介さずに互いに接触して対向するように、複数の食器２が水平な食器重ね方向（水平方向）に重ねられて収納される。
【００２４】
なお、ここでいう一方の食器２の表面と他方の食器２の裏面とが互いに接触する場合には、表面と裏面とが厳密な意味で接触する場合のほか、表面と裏面とが略接触する場合も含まれる。例えば互いに隣り合う食器２間に食器２に付着した汚れである付着物（残飯、残汁等の残滓）が存在して表面と裏面とが若干離れている場合も含まれる。
【００２５】
図３には食器カゴ３内に複数の食器２が互いに接触して水平方向に重ねられて収納された状態の一例が示されている。この状態では、図４から明らかなように、他方端の食器２は他方側当接部17に当接しているが、一方端の食器２は一方側当接部16に当接しておらず、一方端の食器２と一方側当接部16との間には食器カゴ３内で食器２が下支持部13にて支持された状態で動くように所望の大きさの空間部20があり、食器２は食器カゴ３内で食器重ね方向に不安定な状態となっている。
【００２６】
また一方、食器洗浄装置１は、図１および図２に示すように、複数の食器２が直接重ねられて収納された食器カゴ３を搬送面22に載せて水平な食器重ね方向に対して直交する水平な移動方向（図１では、左方向）に所定速度で移動させる搬送手段21と、食器カゴ３が移動する移動領域の上方に配設され移動中の食器カゴ３内の食器２に向けて上方から洗浄水Ｗをカーテン状に噴射するスリット状の複数（例えば２０）の噴射口部23とを備えている。
【００２７】
搬送手段21は、例えばベルトコンベヤ等で、図示しない駆動手段からの動力に基づいて回転する複数の回転体26と、これら複数の回転体26に掛け渡された無端状の搬送体27と有し、この搬送体27の往路部の上面が搬送面22となっている。
【００２８】
また、食器洗浄装置１は、本体ケース30等にて区画形成された洗浄室31を備え、この洗浄室31は、食器カゴ投入口側である搬送手段21の搬送始端側から食器カゴ排出口側である搬送手段21の搬送終端側に向って順に位置する荒洗浄室部31a、中間洗浄室部31bおよび仕上げ洗浄室部31cにて構成されている。
【００２９】
そして、荒洗浄室部31aの上部には複数、例えば８つの洗浄ノズル（上ノズル）33が互いに等間隔をおいて食器カゴ３の移動方向に並んで配設され、中間洗浄室部31bの上部には複数、例えば８つの洗浄ノズル（上ノズル）33が互いに等間隔をおいて食器カゴ３の移動方向に並んで配設され、仕上げ洗浄室部31cの上部には複数、例えば４つの洗浄ノズル（上ノズル）33が互いに等間隔をおいて食器カゴ３の移動方向に並んで配設され、これらの各洗浄ノズル33の下面に噴射口部23が形成されている。
【００３０】
つまり、各洗浄ノズル33の下面には、食器２を収納した食器カゴ３が移動する移動領域（搬送領域）の上方に位置して下方に向って開口する長孔部（スリット）34が食器カゴ３の移動方向と直交する水平方向（図２では、左右方向）すなわち搬送手段21の幅方向に長手方向を有する細長略矩形状に形成されており、この長孔部34にて噴射口部23が構成されている。各長孔部34の長手方向寸法は、搬送手段21の幅寸法と略同じである。なお、各長孔部34の長手方向寸法は、食器カゴ３の移動方向と直交する水平方向寸法と略同じにしてもよい。
【００３１】
また、各洗浄ノズル33には配管36の枝管部36aの先端が接続され、この配管36の基端は洗浄水槽（タンク）37に接続され、この配管36の途中に洗浄水圧送手段であるポンプ38が接続されている。
【００３２】
なお、食器洗浄装置１は、食器カゴ３が移動する移動領域の下方に配設され移動中の食器カゴ３内の食器２に向けて下方から洗浄水を噴射する複数の補助ノズル（下ノズル）40を備えている。この各補助ノズル40は、食器２から除去された付着物（残飯、残汁等の残滓）が食器カゴ３の支持棒14等に引っ掛かった場合にその付着物を浮き上がらせて落下させるためのものである。
【００３３】
次に、上記食器洗浄装置１の作用等を説明する。
【００３４】
作業者は、例えば上下方向に積み重ねた洗浄対象物である複数の食器３を横にして収納した図４に示す状態の食器カゴ３を食器カゴ投入口（図示せず）から洗浄室31内に所定のタイミングで順次投入する。
【００３５】
この際、作業者は、食器カゴ３内の複数の食器２の食器重ね方向が食器カゴ３の移動方向と直交するように、搬送手段21の搬送面22上に置く。
【００３６】
そして、図５に示すように、洗浄ノズル33の噴射口部23からの食器重ね方向に沿ったカーテン状の洗浄水Ｗつまり食器カゴ３の移動方向と直交する水平方向寸法以上の幅寸法を有するカーテン状の洗浄水Ｗが、１つの食器カゴ３内のすべての食器２の側面部７に上方から当たると、他方側当接部17に当接した他方端の食器２以外の食器２は、例えばその開口部５が鉛直面に沿った鉛直姿勢のまま空間部20側に向って一斉に水平移動し、隣り合う食器２から離れる。
【００３７】
その結果、食器カゴ３内のすべての食器２に関して互いに隣り合う食器２間に洗浄用の間隙41が同時に生じ、これらの各間隙41に洗浄水Ｗの一部が入り込み、この入り込んだ洗浄水Ｗによって食器２の表面および裏面に付着した汚れである付着物（残飯、残汁等の残滓）が除去される。そのカーテン状の洗浄水Ｗによって生じる各間隙41の大きさは略等しく、洗浄水Ｗが入り込んで食器２の汚れを除去するのに十分な大きさである。間隙41がわずかな大きさであっても洗浄水Ｗが入り込めば浸漬効果によって食器２の汚れが除去される。
【００３８】
なお、すべての食器２に関して隣り合う食器２間に間隙41が生じるとあるが、ここでいう「すべて」には厳密な意味でのすべてのほか、略すべての意味が含まれる。すなわち例えば隣り合う食器２間に残飯等が付着しているために、洗浄用の間隙41が生じにくいことがある。この場合には、２番目以降の少なくともいずれかの洗浄ノズル33の噴射口部23からの洗浄水Ｗによってその隣り合う食器２間に間隙41が生じることとなる。
【００３９】
また、この洗浄作業の際に、図６に示すように、隣り合う食器２との間に間隙41を保持した状態で、食器カゴ３内のすべての食器２が、噴射口部23からのカーテン状の洗浄水Ｗから受ける力で、食器カゴ３の移動方向前側が下方に向う方向および食器カゴ３の移動方向後側が下方に向う方向の両方向に向って食器カゴ３に対して回転するため、食器全体に洗浄水Ｗが当たることとなる。
【００４０】
このようにして食器カゴ３の移動方向に並ぶ複数の洗浄ノズル33から噴射されるカーテン状の洗浄水Ｗによって洗浄作業が繰り返し順次行なわれる。
【００４１】
そして、このような食器洗浄装置１によれば、噴射口部23からの洗浄水Ｗが１つの食器カゴ３内のすべての食器２に当たると、これらすべての食器２に関して互いに隣り合う食器２間に間隙41が同時に生じ、これらの各間隙41に洗浄水Ｗが入り込んで食器２の汚れが除去される構成であるから、従来のように隣り合う食器間に洗浄に必要な間隙を１つずつ次々と生じさせるような構成に比べて、効率よく洗浄作業ができ、大量の食器２を比較的短時間で洗浄することが可能である。
【００４２】
しかも、この洗浄作業の際に食器カゴ３内の食器２が噴射口部23からの洗浄水Ｗから受ける力で食器カゴ３に対して回転するため、食器全体に洗浄水Ｗが当たることとなり、均一な洗浄が可能で、より一層効率よく洗浄作業ができる。
【００４３】
また、従来とは異なり互いに隣り合う食器２間に介在部材を介在させる必要がなく、例えば積み重ねた複数の食器２を食器カゴ３内に容易に収納できる。
【００４４】
さらに、洗浄ノズル33の噴射口部23は、食器カゴ３が移動する移動領域の上方に位置し食器カゴ３の移動方向と直交する水平方向に長手方向を有するスリットである長孔部34にて構成されているため、その長孔部34から噴射されるカーテン状の大量の洗浄水Ｗによって、複数の間隙41を同時に適切に生じさせることができるとともに、十分な浸漬効果の発揮により食器２の汚れを適切に除去できる。
【００４５】
なお、上記実施の形態では、食器カゴ３内で食器２が鉛直姿勢のまま移動して隣り合う食器２間に間隙41が生じる場合について説明したが、食器２の種類や食器カゴ３内に収納した際の食器２の状態等に応じて食器カゴ３内での食器２の姿勢が変わるため、例えば食器２の種類等によっては、開口部５が鉛直面に対して傾斜した傾斜姿勢から鉛直姿勢に変化して隣り合う食器２間に間隙41が生じる場合、傾斜姿勢のまま移動して食器２間に間隙41が生じる場合、鉛直姿勢から傾斜姿勢に変化して食器２間に間隙41が生じる場合、一方側傾斜姿勢から他方側傾斜姿勢に変化して食器２間に間隙41が生じる場合等がある。
【００４６】
また、上記実施の形態では、食器カゴ３の移動方向に並んで位置する複数の洗浄ノズル33が同一のもので、洗浄水Ｗによって生じる各間隙41の大きさが略等しい構成について説明したが、例えばスリット状の噴射口部23の長手方向において洗浄水Ｗの水量を増減させることにより、洗浄水Ｗによって生じる各間隙41の大きさが部分的に異なる構成でもよい。
【００４７】
すなわち例えば図１に示す複数の洗浄ノズル33のうちの少なくとも３つの洗浄ノズル33を、図７ないし図９に示す洗浄ノズル33とした構成でもよい。これら図７ないし図９に示す洗浄ノズル33の噴射口部23は、噴射する洗浄水Ｗの量が少ない第１噴射口部分23aと、この第１噴射口部分23aに比べて噴射する洗浄水Ｗの量が多い第２噴射口部分23bとを有している。つまり図７（ｂ)等から明らかように、第２噴射口部分23bの幅寸法が第１噴射口部分23aの幅寸法より大きくなっている。
【００４８】
また、これら複数の第２噴射口部分23bは、食器カゴ３の移動方向正面視で食器重ね方向にずれて位置する。すなわち例えば図７に示す洗浄ノズル33の第２噴射口部分23bは食器カゴ３の移動方向正面視で噴射口部23の左端付近に位置し、図８に示す洗浄ノズル33の第２噴射口部分23bは食器カゴ３の移動方向正面視で噴射口部23の中央付近やや左側に位置し、図９に示す洗浄ノズル33の第２噴射口部分23bは食器カゴ３の移動方向正面視で噴射口部23の中央付近やや右側に位置する。
【００４９】
そして、これら図７ないし図９に示す洗浄ノズル33を用いた構成では、図７（ａ)等から明らかように、第２噴射口部分23bからの洗浄水Ｗによって生じる間隙41が第１噴射口部分23aからの洗浄水Ｗによって生じる間隙41よりも大きく、また大きめの間隙41の位置が食器カゴ３の移動方向正面視で食器重ね方向に異なるため、食器カゴ３の移動に応じて食器重ね方向に関して位置が順次ずれる大きめの間隙41には洗浄水Ｗが入り込みやすく、効率的かつ適切に洗浄作業ができる。
【００５０】
なお、スリット状の噴射口部23は、第１噴射口部分23aおよび第２噴射口部分23bの２種類の噴射口部分を有するものには限定されず、例えばそれぞれ幅寸法が異なる３種類以上の噴射口部分を有するものでもよく、また１つの噴射口部23に対して第２噴射口部分23bを１箇所に限るものではなく、第２噴射口部分23bを１つの噴射口部23の複数箇所に設けてもよい。
【００５１】
また、複数の第２噴射口部分23bが食器カゴ３の移動方向正面視で食器カゴ３内のすべての食器２に対応するように食器重ね方向にずれて位置する構成でもよい。つまり、食器カゴ３内のすべての食器２に関して、第２噴射口部分23bからの洗浄水Ｗで互いに隣り合う食器２間に大きめの間隙41が異なる時に生じる構成でもよい。
【００５２】
なお、例えば噴射口部23の形状を変えることなく、第２噴射口部分23bから噴射される洗浄水Ｗの水圧を第１噴射口部分23aから噴射される洗浄水Ｗの水圧よりも高くなるようにして、洗浄水Ｗによって生じる各間隙41の大きさが部分的に異なる構成とすることも可能である。
【００５３】
また、各実施の形態において、例えば食器カゴ３内の一方端の食器２の表面に向けて噴射口部から洗浄水を噴射してその一方端の食器２の表面を洗浄する補助ノズルを洗浄ノズル33とは異なる位置に設けてもよい。
【００５４】
さらに、食器洗浄装置１は、例えばバッチ式のもので、定位置に置かれた食器カゴ３に対して洗浄ノズル33を移動させることにより、スリット状の噴射口部23からの食器重ね方向に沿ったカーテン状の洗浄水Ｗを食器カゴ３内の複数の食器２に上方から当てることにより、互いに隣り合う食器２間に間隙41を生じさせ、この生じた間隙41に洗浄水Ｗを入り込ませて食器２の汚れを除去する構成等でもよい。
【００５５】
なお、洗浄対象物である食器２は、円形状の椀には限定されず、円形状の皿、トレイ等でもよく、また４角等の多角形状の椀、皿、トレイ等でもよい。
【図面の簡単な説明】
【００５６】
【図１】本発明の一実施の形態に係る食器洗浄装置の概略側面図である。
【図２】同上食器洗浄装置の概略正面図である。
【図３】食器カゴに複数の食器が収納された状態を示す斜視図である。
【図４】食器カゴに複数の食器が収納された状態を示す正面図である。
【図５】同上食器洗浄装置の食器洗浄状態を示す説明図である。
【図６】（ａ）〜（ｅ）は洗浄作業時に食器が回転する様子を示す説明図である。
【図７】（ａ）は噴射口部からの洗浄水による食器洗浄状態を示す説明図で、（ｂ）はその噴射口部の下面図である。
【図８】（ａ）は図６に続く食器洗浄状態を示す説明図で、（ｂ）はその噴射口部の下面図である。
【図９】（ａ）は図７に続く食器洗浄状態を示す説明図で、（ｂ）はその噴射口部の下面図である。
【符号の説明】
【００５７】
１    食器洗浄装置
２    食器
３    食器カゴ
21    搬送手段
23    噴射口部
23a   第１噴射口部分
23b   第２噴射口部分
34    長孔部
41    間隙
Ｗ    洗浄水
【図１】
2010063806.tif 000003
【図２】
2010063806.tif 000004
【図３】
2010063806.tif 000005
【図４】
2010063806.tif 000006
【図５】
2010063806.tif 000007
【図６】
2010063806.tif 000008
【図７】
2010063806.tif 000009
【図８】
2010063806.tif 000010
【図９】
2010063806.tif 000011
【手続補正書】
【提出日】平成20年12月15日(2008.12.15)
【手続補正１】
【補正対象書類名】特許請求の範囲
【補正対象項目名】全文
【補正方法】変更
【補正の内容】
【特許請求の範囲】
【請求項１】
互いに隣り合う食器のうちの一方の食器の表面と他方の食器の裏面とが介在部材を介さずに対向するように複数の食器が水平方向に重ねられて収納された食器カゴを、食器重ね方向に対して直交する水平な移動方向に移動させる搬送手段と、
食器カゴ内の食器に向けて洗浄水を噴射する噴射口部とを備え、
前記噴射口部は、食器カゴが移動する移動領域の上方に位置し、食器カゴの移動方向と直交する水平方向に長手方向を有する長孔部にて構成され、
前記噴射口部からの洗浄水が食器カゴ内のすべての食器に当たると、これらすべての食器に関して互いに隣り合う食器間に間隙が同時に生じ、これらの各間隙に洗浄水が入り込んで食器の汚れが除去される
ことを特徴とする食器洗浄装置。
【請求項２】
食器カゴ内の食器は、噴射口部からの洗浄水から受ける力で食器カゴに対して回転する
ことを特徴とする請求項１記載の食器洗浄装置。
【請求項３】
食器カゴの移動方向に並んで位置する複数の噴射口部を備え、
前記噴射口部は、
第１噴射口部分と、
この第１噴射口部分に比べて噴射する洗浄水の量が多い第２噴射口部分とを有し、
前記第２噴射口部分は、食器カゴの移動方向正面視で食器重ね方向にずれて位置する
ことを特徴とする請求項１または２記載の食器洗浄装置。
【請求項４】
互いに隣り合う食器のうちの一方の食器の表面と他方の食器の裏面とが介在部材を介さずに対向するように複数の食器を食器カゴ内に水平方向に重ねて収納し、
この収納した食器カゴ内のすべての食器に、水平方向に長手方向を有するとともに下方に向って開口する長孔部にて構成された噴射口部からの食器重ね方向に沿ったカーテン状の洗浄水を当てることにより、これらすべての食器に関して互いに隣り合う食器間に間隙を同時に生じさせ、
この生じた各間隙に洗浄水を入り込ませて食器の汚れを除去する
ことを特徴とする食器洗浄方法。
【手続補正２】
【補正対象書類名】明細書
【補正対象項目名】全文
【補正方法】変更
【補正の内容】
【発明の詳細な説明】
【技術分野】
【０００１】
本発明は、複数の食器を食器カゴに収納したまま洗浄する食器洗浄装置および食器洗浄方法に関するものである。
【背景技術】
【０００２】
従来、例えば下記の特許文献１に記載された食器洗浄装置が知られている。
【０００３】
この従来の食器洗浄装置は、互いに隣り合う食器のうちの一方の食器の表面と他方の食器の裏面との間に算盤玉のような移動可能な保持部材（介在部材）が介在するように複数の食器が水平方向に重ねられて収納された食器カゴを食器重ね方向に沿った方向に移動させる搬送手段と、食器カゴ内の食器の周端部に向けて洗浄水を噴射する噴射ノズルとを備えている。
【０００４】
そして、噴射ノズルからの洗浄水が食器カゴ内の食器に当たると、食器が保持部材とともに移動し、一の食器とこの一の食器と隣り合う他の食器との間に間隙が生じ、この生じた間隙に洗浄水が入り込んで食器の汚れが除去される。
【特許文献１】特開平１０−１３７１７２号公報（図４、図５）
【発明の開示】
【発明が解決しようとする課題】
【０００５】
しかしながら、上記従来の食器洗浄装置では、噴射ノズルからの洗浄水によって互いに隣り合う食器間に生じる間隙が１つずつであるため、洗浄作業の効率が悪くなるおそれがあり、また、互いに隣り合う食器間に保持部材を介在させる必要があるため、複数の食器を食器カゴ内に収納するのに手間取るおそれがある。
【０００６】
本発明は、このような点に鑑みなされたもので、複数の食器を食器カゴ内に容易に収納できるとともに、効率よく洗浄作業ができる食器洗浄装置および食器洗浄方法を提供することを目的とする。
【課題を解決するための手段】
【０００７】
請求項１記載の食器洗浄装置は、互いに隣り合う食器のうちの一方の食器の表面と他方の食器の裏面とが介在部材を介さずに対向するように複数の食器が水平方向に重ねられて収納された食器カゴを、食器重ね方向に対して直交する水平な移動方向に移動させる搬送手段と、食器カゴ内の食器に向けて洗浄水を噴射する噴射口部とを備え、前記噴射口部は、食器カゴが移動する移動領域の上方に位置し、食器カゴの移動方向と直交する水平方向に長手方向を有する長孔部にて構成され、前記噴射口部からの洗浄水が食器カゴ内のすべての食器に当たると、これらすべての食器に関して互いに隣り合う食器間に間隙が同時に生じ、これらの各間隙に洗浄水が入り込んで食器の汚れが除去されるものである。
【０００８】
請求項２記載の食器洗浄装置は、請求項１記載の食器洗浄装置において、食器カゴ内の食器は、噴射口部からの洗浄水から受ける力で食器カゴに対して回転するものである。
【０００９】
請求項３記載の食器洗浄装置は、請求項１または２記載の食器洗浄装置において、食器カゴの移動方向に並んで位置する複数の噴射口部を備え、前記噴射口部は、第１噴射口部分と、この第１噴射口部分に比べて噴射する洗浄水の量が多い第２噴射口部分とを有し、前記第２噴射口部分は、食器カゴの移動方向正面視で食器重ね方向にずれて位置するものである。
【００１０】
請求項４記載の食器洗浄方法は、互いに隣り合う食器のうちの一方の食器の表面と他方の食器の裏面とが介在部材を介さずに対向するように複数の食器を食器カゴ内に水平方向に重ねて収納し、この収納した食器カゴ内のすべての食器に、水平方向に長手方向を有するとともに下方に向って開口する長孔部にて構成された噴射口部からの食器重ね方向に沿ったカーテン状の洗浄水を当てることにより、これらすべての食器に関して互いに隣り合う食器間に間隙を同時に生じさせ、この生じた各間隙に洗浄水を入り込ませて食器の汚れを除去するものである。
【発明の効果】
【００１１】
請求項１に係る発明によれば、噴射口部からの洗浄水が食器カゴ内のすべての食器に当たると、これらすべての食器に関して互いに隣り合う食器間に間隙が同時に生じ、これらの各間隙に洗浄水が入り込んで食器の汚れが除去される構成であるから、効率よく洗浄作業ができ、また、従来とは異なり互いに隣り合う食器間に介在部材を介在させる必要がなく、複数の食器を食器カゴ内に容易に収納できる。さらに、噴射口部は、食器カゴが移動する移動領域の上方に位置し、食器カゴの移動方向と直交する水平方向に長手方向を有する長孔部にて構成されているため、その長孔部から噴射されるカーテン状の洗浄水によって、複数の間隙を同時に適切に生じさせることができるとともに、食器の汚れを適切に除去できる。
【００１２】
請求項２に係る発明によれば、洗浄作業の際に食器カゴ内の食器が噴射口部からの洗浄水から受ける力で食器カゴに対して回転するため、食器全体に洗浄水が当たることとなり、より一層効率よく洗浄作業ができる。
【００１３】
請求項３に係る発明によれば、第２噴射口部分からの洗浄水によって生じる間隙が第１噴射口部分からの洗浄水によって生じる間隙よりも大きく、また大きめの間隙の位置が食器カゴの移動方向正面視で食器重ね方向に異なるため、効率的かつ適切に洗浄作業ができる。
【００１４】
請求項４に係る発明によれば、互いに隣り合う食器のうちの一方の食器の表面と他方の食器の裏面とが介在部材を介さずに対向するように複数の食器を食器カゴ内に水平方向に重ねて収納し、この収納した食器カゴ内のすべての食器に、水平方向に長手方向を有するとともに下方に向って開口する長孔部にて構成された噴射口部からの食器重ね方向に沿ったカーテン状の洗浄水を当てることにより、これらすべての食器に関して互いに隣り合う食器間に間隙を同時に生じさせ、この生じた各間隙に洗浄水を入り込ませて食器の汚れを除去することにより、効率よく洗浄作業ができ、また、従来とは異なり互いに隣り合う食器間に介在部材を介在させる必要がなく、複数の食器を食器カゴ内に容易に収納できる。
【発明を実施するための最良の形態】
【００１５】
本発明の食器洗浄装置の一実施の形態を図面を参照して説明する。
【００１６】
図１および図２において、１は食器洗浄装置で、この食器洗浄装置１は、複数の食器２を食器収納具である食器カゴ３に収納したまま、浸漬水に浸すことなく洗浄水Ｗを用いて連続的に洗浄する業務用洗浄装置で、例えば給食センター等の給食現場に設置される。
【００１７】
食器２は、図３等に示すように、例えば円形の開口部５を上面に有する円形状の椀等である。食器２は、円形状の底面部６と、この底面部６の周端部に設けられ上方に向って拡径する截頭円錐筒状の側面部７と、この側面部７の上端部全周に外側方に向って突設された鍔部８とを有している。
【００１８】
食器カゴ３は、例えば金属製の複数本の棒状部材が組み合わされて構成された外形略直方体状の金網カゴ等である。食器カゴ３は、複数の食器２が水平方向に直接重ねられて収納される食器収納部11を内部に有し、この食器収納部11に対して食器２の出し入れをするための開口部12を上面に有している。
【００１９】
また、食器カゴ３は、食器収納部11に収納された複数の食器２を下方から支持する支持体である下支持部13を下面に有し、この下支持部13は例えば食器カゴ３内の食器２の食器重ね方向に長手状で互いに平行な複数本、例えば２本の支持棒14にて構成されている。
【００２０】
さらに、食器カゴ３は、食器収納部11に収納された複数の食器（食器群）２のうちの一方端の食器２が当接する一方側当接部16を一側面に有し、食器収納部11に収納された複数の食器２のうちの他方端の食器２が当接する他方側当接部17を他側面に有している。一方側当接部16は互いに平行な複数本、例えば２本の当接棒18にて構成され、他方側当接部17は互いに平行な複数本、例えば２本の当接棒19にて構成されている。
【００２１】
そして、食器カゴ３内には、互いに隣り合う食器２のうちの一方の食器２の表面（内面）と他方の食器２の裏面（外面）とが介在部材（従来における保持部材等）を介さずに互いに接触して対向するように、複数の食器２が水平な食器重ね方向（水平方向）に重ねられて収納される。
【００２２】
なお、ここでいう一方の食器２の表面と他方の食器２の裏面とが互いに接触する場合には、表面と裏面とが厳密な意味で接触する場合のほか、表面と裏面とが略接触する場合も含まれる。例えば互いに隣り合う食器２間に食器２に付着した汚れである付着物（残飯、残汁等の残滓）が存在して表面と裏面とが若干離れている場合も含まれる。
【００２３】
図３には食器カゴ３内に複数の食器２が互いに接触して水平方向に重ねられて収納された状態の一例が示されている。この状態では、図４から明らかなように、他方端の食器２は他方側当接部17に当接しているが、一方端の食器２は一方側当接部16に当接しておらず、一方端の食器２と一方側当接部16との間には食器カゴ３内で食器２が下支持部13にて支持された状態で動くように所望の大きさの空間部20があり、食器２は食器カゴ３内で食器重ね方向に不安定な状態となっている。
【００２４】
また一方、食器洗浄装置１は、図１および図２に示すように、複数の食器２が直接重ねられて収納された食器カゴ３を搬送面22に載せて水平な食器重ね方向に対して直交する水平な移動方向（図１では、左方向）に所定速度で移動させる搬送手段21と、食器カゴ３が移動する移動領域の上方に配設され移動中の食器カゴ３内の食器２に向けて上方から洗浄水Ｗをカーテン状に噴射するスリット状の複数（例えば２０）の噴射口部23とを備えている。
【００２５】
搬送手段21は、例えばベルトコンベヤ等で、図示しない駆動手段からの動力に基づいて回転する複数の回転体26と、これら複数の回転体26に掛け渡された無端状の搬送体27と有し、この搬送体27の往路部の上面が搬送面22となっている。
【００２６】
また、食器洗浄装置１は、本体ケース30等にて区画形成された洗浄室31を備え、この洗浄室31は、食器カゴ投入口側である搬送手段21の搬送始端側から食器カゴ排出口側である搬送手段21の搬送終端側に向って順に位置する荒洗浄室部31a、中間洗浄室部31bおよび仕上げ洗浄室部31cにて構成されている。
【００２７】
そして、荒洗浄室部31aの上部には複数、例えば８つの洗浄ノズル（上ノズル）33が互いに等間隔をおいて食器カゴ３の移動方向に並んで配設され、中間洗浄室部31bの上部には複数、例えば８つの洗浄ノズル（上ノズル）33が互いに等間隔をおいて食器カゴ３の移動方向に並んで配設され、仕上げ洗浄室部31cの上部には複数、例えば４つの洗浄ノズル（上ノズル）33が互いに等間隔をおいて食器カゴ３の移動方向に並んで配設され、これらの各洗浄ノズル33の下面に噴射口部23が形成されている。
【００２８】
つまり、各洗浄ノズル33の下面には、食器２を収納した食器カゴ３が移動する移動領域（搬送領域）の上方に位置して下方に向って開口する長孔部（スリット）34が食器カゴ３の移動方向と直交する水平方向（図２では、左右方向）すなわち搬送手段21の幅方向に長手方向を有する細長略矩形状に形成されており、この長孔部34にて噴射口部23が構成されている。各長孔部34の長手方向寸法は、搬送手段21の幅寸法と略同じである。なお、各長孔部34の長手方向寸法は、食器カゴ３の移動方向と直交する水平方向寸法と略同じにしてもよい。
【００２９】
また、各洗浄ノズル33には配管36の枝管部36aの先端が接続され、この配管36の基端は洗浄水槽（タンク）37に接続され、この配管36の途中に洗浄水圧送手段であるポンプ38が接続されている。
【００３０】
なお、食器洗浄装置１は、食器カゴ３が移動する移動領域の下方に配設され移動中の食器カゴ３内の食器２に向けて下方から洗浄水を噴射する複数の補助ノズル（下ノズル）40を備えている。この各補助ノズル40は、食器２から除去された付着物（残飯、残汁等の残滓）が食器カゴ３の支持棒14等に引っ掛かった場合にその付着物を浮き上がらせて落下させるためのものである。
【００３１】
次に、上記食器洗浄装置１の作用等を説明する。
【００３２】
作業者は、例えば上下方向に積み重ねた洗浄対象物である複数の食器３を横にして収納した図４に示す状態の食器カゴ３を食器カゴ投入口（図示せず）から洗浄室31内に所定のタイミングで順次投入する。
【００３３】
この際、作業者は、食器カゴ３内の複数の食器２の食器重ね方向が食器カゴ３の移動方向と直交するように、搬送手段21の搬送面22上に置く。
【００３４】
そして、図５に示すように、洗浄ノズル33の噴射口部23からの食器重ね方向に沿ったカーテン状の洗浄水Ｗつまり食器カゴ３の移動方向と直交する水平方向寸法以上の幅寸法を有するカーテン状の洗浄水Ｗが、１つの食器カゴ３内のすべての食器２の側面部７に上方から当たると、他方側当接部17に当接した他方端の食器２以外の食器２は、例えばその開口部５が鉛直面に沿った鉛直姿勢のまま空間部20側に向って一斉に水平移動し、隣り合う食器２から離れる。
【００３５】
その結果、食器カゴ３内のすべての食器２に関して互いに隣り合う食器２間に洗浄用の間隙41が同時に生じ、これらの各間隙41に洗浄水Ｗの一部が入り込み、この入り込んだ洗浄水Ｗによって食器２の表面および裏面に付着した汚れである付着物（残飯、残汁等の残滓）が除去される。そのカーテン状の洗浄水Ｗによって生じる各間隙41の大きさは略等しく、洗浄水Ｗが入り込んで食器２の汚れを除去するのに十分な大きさである。間隙41がわずかな大きさであっても洗浄水Ｗが入り込めば浸漬効果によって食器２の汚れが除去される。
【００３６】
なお、すべての食器２に関して隣り合う食器２間に間隙41が生じるとあるが、ここでいう「すべて」には厳密な意味でのすべてのほか、略すべての意味が含まれる。すなわち例えば隣り合う食器２間に残飯等が付着しているために、洗浄用の間隙41が生じにくいことがある。この場合には、２番目以降の少なくともいずれかの洗浄ノズル33の噴射口部23からの洗浄水Ｗによってその隣り合う食器２間に間隙41が生じることとなる。
【００３７】
また、この洗浄作業の際に、図６に示すように、隣り合う食器２との間に間隙41を保持した状態で、食器カゴ３内のすべての食器２が、噴射口部23からのカーテン状の洗浄水Ｗから受ける力で、食器カゴ３の移動方向前側が下方に向う方向および食器カゴ３の移動方向後側が下方に向う方向の両方向に向って食器カゴ３に対して回転するため、食器全体に洗浄水Ｗが当たることとなる。
【００３８】
このようにして食器カゴ３の移動方向に並ぶ複数の洗浄ノズル33から噴射されるカーテン状の洗浄水Ｗによって洗浄作業が繰り返し順次行なわれる。
【００３９】
そして、このような食器洗浄装置１によれば、噴射口部23からの洗浄水Ｗが１つの食器カゴ３内のすべての食器２に当たると、これらすべての食器２に関して互いに隣り合う食器２間に間隙41が同時に生じ、これらの各間隙41に洗浄水Ｗが入り込んで食器２の汚れが除去される構成であるから、従来のように隣り合う食器間に洗浄に必要な間隙を１つずつ次々と生じさせるような構成に比べて、効率よく洗浄作業ができ、大量の食器２を比較的短時間で洗浄することが可能である。
【００４０】
しかも、この洗浄作業の際に食器カゴ３内の食器２が噴射口部23からの洗浄水Ｗから受ける力で食器カゴ３に対して回転するため、食器全体に洗浄水Ｗが当たることとなり、均一な洗浄が可能で、より一層効率よく洗浄作業ができる。
【００４１】
また、従来とは異なり互いに隣り合う食器２間に介在部材を介在させる必要がなく、例えば積み重ねた複数の食器２を食器カゴ３内に容易に収納できる。
【００４２】
さらに、洗浄ノズル33の噴射口部23は、食器カゴ３が移動する移動領域の上方に位置し食器カゴ３の移動方向と直交する水平方向に長手方向を有するスリットである長孔部34にて構成されているため、その長孔部34から噴射されるカーテン状の大量の洗浄水Ｗによって、複数の間隙41を同時に適切に生じさせることができるとともに、十分な浸漬効果の発揮により食器２の汚れを適切に除去できる。
【００４３】
なお、上記実施の形態では、食器カゴ３内で食器２が鉛直姿勢のまま移動して隣り合う食器２間に間隙41が生じる場合について説明したが、食器２の種類や食器カゴ３内に収納した際の食器２の状態等に応じて食器カゴ３内での食器２の姿勢が変わるため、例えば食器２の種類等によっては、開口部５が鉛直面に対して傾斜した傾斜姿勢から鉛直姿勢に変化して隣り合う食器２間に間隙41が生じる場合、傾斜姿勢のまま移動して食器２間に間隙41が生じる場合、鉛直姿勢から傾斜姿勢に変化して食器２間に間隙41が生じる場合、一方側傾斜姿勢から他方側傾斜姿勢に変化して食器２間に間隙41が生じる場合等がある。
【００４４】
また、上記実施の形態では、食器カゴ３の移動方向に並んで位置する複数の洗浄ノズル33が同一のもので、洗浄水Ｗによって生じる各間隙41の大きさが略等しい構成について説明したが、例えばスリット状の噴射口部23の長手方向において洗浄水Ｗの水量を増減させることにより、洗浄水Ｗによって生じる各間隙41の大きさが部分的に異なる構成でもよい。
【００４５】
すなわち例えば図１に示す複数の洗浄ノズル33のうちの少なくとも３つの洗浄ノズル33を、図７ないし図９に示す洗浄ノズル33とした構成でもよい。これら図７ないし図９に示す洗浄ノズル33の噴射口部23は、噴射する洗浄水Ｗの量が少ない第１噴射口部分23aと、この第１噴射口部分23aに比べて噴射する洗浄水Ｗの量が多い第２噴射口部分23bとを有している。つまり図７（ｂ)等から明らかように、第２噴射口部分23bの幅寸法が第１噴射口部分23aの幅寸法より大きくなっている。
【００４６】
また、これら複数の第２噴射口部分23bは、食器カゴ３の移動方向正面視で食器重ね方向にずれて位置する。すなわち例えば図７に示す洗浄ノズル33の第２噴射口部分23bは食器カゴ３の移動方向正面視で噴射口部23の左端付近に位置し、図８に示す洗浄ノズル33の第２噴射口部分23bは食器カゴ３の移動方向正面視で噴射口部23の中央付近やや左側に位置し、図９に示す洗浄ノズル33の第２噴射口部分23bは食器カゴ３の移動方向正面視で噴射口部23の中央付近やや右側に位置する。
【００４７】
そして、これら図７ないし図９に示す洗浄ノズル33を用いた構成では、図７（ａ)等から明らかように、第２噴射口部分23bからの洗浄水Ｗによって生じる間隙41が第１噴射口部分23aからの洗浄水Ｗによって生じる間隙41よりも大きく、また大きめの間隙41の位置が食器カゴ３の移動方向正面視で食器重ね方向に異なるため、食器カゴ３の移動に応じて食器重ね方向に関して位置が順次ずれる大きめの間隙41には洗浄水Ｗが入り込みやすく、効率的かつ適切に洗浄作業ができる。
【００４８】
なお、スリット状の噴射口部23は、第１噴射口部分23aおよび第２噴射口部分23bの２種類の噴射口部分を有するものには限定されず、例えばそれぞれ幅寸法が異なる３種類以上の噴射口部分を有するものでもよく、また１つの噴射口部23に対して第２噴射口部分23bを１箇所に限るものではなく、第２噴射口部分23bを１つの噴射口部23の複数箇所に設けてもよい。
【００４９】
また、複数の第２噴射口部分23bが食器カゴ３の移動方向正面視で食器カゴ３内のすべての食器２に対応するように食器重ね方向にずれて位置する構成でもよい。つまり、食器カゴ３内のすべての食器２に関して、第２噴射口部分23bからの洗浄水Ｗで互いに隣り合う食器２間に大きめの間隙41が異なる時に生じる構成でもよい。
【００５０】
なお、例えば噴射口部23の形状を変えることなく、第２噴射口部分23bから噴射される洗浄水Ｗの水圧を第１噴射口部分23aから噴射される洗浄水Ｗの水圧よりも高くなるようにして、洗浄水Ｗによって生じる各間隙41の大きさが部分的に異なる構成とすることも可能である。
【００５１】
また、各実施の形態において、例えば食器カゴ３内の一方端の食器２の表面に向けて噴射口部から洗浄水を噴射してその一方端の食器２の表面を洗浄する補助ノズルを洗浄ノズル33とは異なる位置に設けてもよい。
【００５２】
さらに、食器洗浄装置１は、例えばバッチ式のもので、定位置に置かれた食器カゴ３に対して洗浄ノズル33を移動させることにより、スリット状の噴射口部23からの食器重ね方向に沿ったカーテン状の洗浄水Ｗを食器カゴ３内の複数の食器２に上方から当てることにより、互いに隣り合う食器２間に間隙41を生じさせ、この生じた間隙41に洗浄水Ｗを入り込ませて食器２の汚れを除去する構成等でもよい。
【００５３】
なお、洗浄対象物である食器２は、円形状の椀には限定されず、円形状の皿、トレイ等でもよく、また４角等の多角形状の椀、皿、トレイ等でもよい。
【図面の簡単な説明】
【００５４】
【図１】本発明の一実施の形態に係る食器洗浄装置の概略側面図である。
【図２】同上食器洗浄装置の概略正面図である。
【図３】食器カゴに複数の食器が収納された状態を示す斜視図である。
【図４】食器カゴに複数の食器が収納された状態を示す正面図である。
【図５】同上食器洗浄装置の食器洗浄状態を示す説明図である。
【図６】（ａ）〜（ｅ）は洗浄作業時に食器が回転する様子を示す説明図である。
【図７】（ａ）は噴射口部からの洗浄水による食器洗浄状態を示す説明図で、（ｂ）はその噴射口部の下面図である。
【図８】（ａ）は図６に続く食器洗浄状態を示す説明図で、（ｂ）はその噴射口部の下面図である。
【図９】（ａ）は図７に続く食器洗浄状態を示す説明図で、（ｂ）はその噴射口部の下面図である。
【符号の説明】
【００５５】
１    食器洗浄装置
２    食器
３    食器カゴ
21    搬送手段
23    噴射口部
23a   第１噴射口部分
23b   第２噴射口部分
34    長孔部
41    間隙
Ｗ    洗浄水